(57)【特許請求の範囲】
【請求項１】
映像を表示する表示板及びタイミング制御部を含む表示板部、
前記タイミング制御部に入力映像信号を伝達する統合制御部、
左眼シャッタと右眼シャッタを含むシャッタ部材、
前記統合制御部または外部からシャッタ部材制御ソース信号を受信してシャッタタイミング情報を生成するシャッタタイミング決定部、及び
前記シャッタタイミング情報を受信してシャッタ部材制御信号を生成して前記シャッタ部材に伝達するシャッタタイミング制御部
を含み、
前記シャッタ部材制御ソース信号は入力映像信号を含み、
前記シャッタタイミング決定部は、前記統合制御部または前記タイミング制御部から前記入力映像信号を受信して、複数の画素に対する階調を合算して合算値を計算する映像輝度合算部を含み、
前記シャッタタイミング情報によって前記左眼シャッタまたは前記右眼シャッタの１フレームに対する開閉時間が調節され、
前記シャッタタイミング決定部は、映像輝度合算部により計算された合算値が大きくなるほど、シャッタタイミング情報の値を大きくなるように、シャッタタイミング情報を生成し、
前記左眼シャッタまたは前記右眼シャッタの１フレームに対して開いている時間である開放時間は、前記シャッタタイミング情報の値が大きいほど大きくなる立体映像表示装置。
【請求項２】
前記シャッタタイミング決定部は、
前記合算値に対する映像輝度のレベル及び前記シャッタタイミング情報の値を保存する第１ルックアップテーブル、及び
前記第１ルックアップテーブルから前記合算値に対応する映像輝度のレベル及び前記シャッタタイミング情報を選択するレベル指定部
をさらに含む、請求項１に記載の立体映像表示装置。
【請求項３】
前記シャッタタイミング決定部は、前記合算値に基づいて前記シャッタタイミング情報を計算するシャッタタイミング計算部をさらに含む、請求項１に記載の立体映像表示装置。
【請求項４】
前記シャッタ部材制御ソース信号は周辺輝度制御信号を含み、
前記シャッタタイミング決定部は、前記統合制御部から入力された前記周辺輝度制御信号によって前記シャッタタイミング情報を生成する、請求項１に記載の立体映像表示装置。
【請求項５】
周辺輝度を感知して感知信号を生成する照度センサー、及び
前記感知信号をＡ／Ｄ変換して周辺輝度情報を生成するＡ／Ｄ変換部をさらに含み、
前記シャッタ部材制御ソース信号は前記周辺輝度情報を含み、
前記シャッタタイミング決定部は、前記周辺輝度情報を受信して前記シャッタタイミング情報を生成する、請求項１に記載の立体映像表示装置。
【請求項６】
表示板及びタイミング制御部を含む表示板部、前記タイミング制御部に入力映像信号を伝達する統合制御部、左眼シャッタと右眼シャッタを含むシャッタ部材、及びシャッタタイミング決定部を含む立体映像表示装置において、
前記統合制御部または前記タイミング制御部からの入力映像信号をシャッタ部材制御ソース信号として前記シャッタタイミング決定部に入力する段階、
前記入力映像信号から複数の画素に対する階調を合算して合算値を計算する段階、
シャッタタイミング情報を生成する段階、及び
前記シャッタタイミング情報によって前記シャッタ部材の前記左眼シャッタまたは前記右眼シャッタの１フレームに対する開閉時間を調節する段階
を含み、
前記シャッタタイミング情報を生成する段階は、前記合算値を計算する段階において計算された合算値が大きくなるほど、シャッタタイミング情報の値を大きくなるように、シャッタタイミング情報を生成し、
前記シャッタタイミング情報の値が大きくなるほど、前記左眼シャッタまたは前記右眼シャッタの１フレームに対して開いている時間である開放時間が大きくなる、
立体映像表示装置の駆動方法。
【発明の詳細な説明】
【技術分野】
【０００１】
本発明は、立体映像表示装置及びその駆動方法に関し、さらに具体的に、シャッタ眼鏡を含む立体映像表示装置及びその駆動方法に関する。
【背景技術】
【０００２】
最近、表示装置技術の発電によって３次元（３ｄｉｍｅｎｓｉｏｎａｌ、３Ｄ）の立体映像表示装置が消費者の関心を集めており、多様な３次元映像表示方法が研究されている。
【０００３】
一般に、３次元映像表示技術においては、近距離で立体感を認識する最も大きい要因である両眼視差（ｂｉｎｏｃｕｌａｒ  ｐａｒａｌｌａｘ）を利用して物体の立体感を表現する。即ち、左眼と右眼にはそれぞれ互いに異なる２次元映像が見えて、左眼に見える映像（以下、「左眼映像（ｌｅｆｔ  ｅｙｅ  ｉｍａｇｅ）」という）と、右眼に見える映像（以下、「右眼映像（ｒｉｇｈｔ  ｅｙｅ  ｉｍａｇｅ）」という）が脳に伝えられると、左眼映像と右眼映像は脳で融合して奥行き感（ｄｅｐｔｈ  ｐｅｒｃｅｐｔｉｏｎ）を有する３次元映像として認識される。
【０００４】
立体映像表示装置は、両眼視差を利用するものであって、シャッタ眼鏡（ｓｈｕｔｔｅｒｇｌａｓｓｅｓ）、偏光眼鏡（ｐｏｌａｒｉｚｅｄ  ｇｌａｓｓｅｓ）などの眼鏡を利用する眼鏡式（ｓｔｅｒｅｏｓｃｏｐｉｃ）方法と、眼鏡を利用せずに、表示装置にレンチキュラーレンズ（ｌｅｎｔｉｃｕｌａｒ  ｌｅｎｓ）、パララックスバリア（ｐａｒａｌｌａｘ  ｂａｒｒｉｅｒ）などを配置する非眼鏡式（ａｕｔｏｓｔｅｒｅｏｓｃｏｐｉｃ）方法がある。
【０００５】
シャッタ眼鏡方式は、立体映像表示装置で左眼映像と右眼映像が分離されて連続的に出力され、シャッタ眼鏡の左眼シャッタ（ｌｅｆｔ  ｅｙｅ  ｓｈｕｔｔｅｒ）と右眼シャッタ（ｒｉｇｈｔ  ｅｙｅ  ｓｈｕｔｔｅｒ）がシャッタ制御部の制御によって選択的に開閉されることによって立体映像が表現される方法である。
【０００６】
シャッタ眼鏡方式はシャッタを開閉して映像を認識するので、シャッタの開閉によって立体映像表示装置の表示板が表示する映像だけでなく、表示板周辺の光まで遮断したり透過したりすることができる。
【発明の概要】
【発明が解決しようとする課題】
【０００７】
本発明の目的は、シャッタ部材を利用する立体映像表示装置において、シャッタ部材を通じてユーザに視聴される周辺の輝度を制御して、臨場感があり、かつ現実感のある立体映像を提供することにある。
【課題を解決するための手段】
【０００８】
本発明の一実施形態による立体映像表示装置は、映像を表示する表示板及びタイミング制御部を含む表示板部、前記タイミング制御部に入力映像信号を伝達する統合制御部、左眼シャッタと右眼シャッタを含むシャッタ部材、前記統合制御部または外部からシャッタ部材制御ソース信号を受信してシャッタタイミング情報を生成するシャッタタイミング決定部、及び前記シャッタタイミング情報を受信してシャッタ部材制御信号を生成して前記シャッタ部材に伝達するシャッタタイミング制御部を含み、前記シャッタタイミング情報によって前記左眼シャッタまたは上既右眼シャッタの１フレームに対する開閉時間が調節される。
【０００９】
前記左眼シャッタまたは前記右眼シャッタの１フレームに対して開いている時間である開放時間は、前記シャッタタイミング情報の値が大きいほど大きくなるとよい。
【００１０】
前記シャッタ部材制御ソース信号は入力映像信号を含み、前記シャッタタイミング決定部は前記統合制御部または前記タイミング制御部から前記入力映像信号を受信して、複数の画素に対する階調を合算して合算値を計算する映像輝度合算部を含むとよい。
【００１１】
前記シャッタタイミング決定部は、前記合算値に対する映像輝度のレベル及び前記シャッタタイミング情報の値を保存する第１ルックアップテーブル、及び前記第１ルックアップテーブルから前記合算値に対応する映像輝度のレベルと前記シャッタタイミング情報を選択するレベル指定部をさらに含むとよい。
【００１２】
前記シャッタタイミング決定部は、前記合算値に基づいて前記シャッタタイミング情報を計算するシャッタタイミング計算部をさらに含むとよい。
【００１３】
前記シャッタ部材制御ソース信号は周辺輝度制御信号を含み、前記シャッタタイミング決定部は、前記統合制御部から入力された前記周辺輝度制御信号によって前記シャッタタイミング情報を生成するとよい。
【００１４】
周辺輝度を感知して感知信号を生成する照度センサー、及び前記感知信号をＡ／Ｄ変換して周辺輝度情報を生成するＡ／Ｄ変換部をさらに含み、前記シャッタ部材制御ソース信号は前記周辺輝度情報を含み、前記シャッタタイミング決定部は、前記周辺輝度情報を受信して前記シャッタタイミング情報を生成するとよい。
【００１５】
本発明の一実施形態による立体映像表示装置の駆動方法は、表示板及びタイミング制御部を含む表示板部、前記タイミング制御部に入力映像信号を伝達する統合制御部、左眼シャッタと右眼シャッタを含むシャッタ部材、及びシャッタタイミング決定部を含む立体映像表示装置であって、前記統合制御部または外部からシャッタ部材制御ソース信号を受信してシャッタタイミング情報を生成する段階、及び前記シャッタタイミング情報によって前記シャッタ部材の前記左眼シャッタまたは前記右眼シャッタの１フレームに対する開閉時間を調節する段階を含む。
【００１６】
前記シャッタタイミング情報の値が大きくなるほど、前記左眼シャッタまたは前記右眼シャッタの１フレームに対して開いている時間である開放時間が大きくなるとよい。
【００１７】
前記統合制御部または前記タイミング制御部からの入力映像信号を前記シャッタ部材制御ソース信号として前記シャッタタイミング決定部に入力する段階、及び前記入力映像信号から複数の画素に対する階調を合算して合算値を計算する段階を含むとよい。
【発明の効果】
【００１８】
本発明の実施形態によれば、シャッタ部材を含む立体映像表示装置において、シャッタ部材のシャッタが開いている時間を能動的に制御して周辺輝度を調節することによって、立体映像表示の効果をさらに高め、現実感を高めることができる。
【図面の簡単な説明】
【００１９】
【図１】本発明の一実施形態による立体映像表示装置のブロック図である。
【図２】本発明の一実施形態による立体映像表示装置の動作を概略的に示す図面である。
【図３】本発明の一実施形態による立体映像表示装置のシャッタ部材及びシャッタ部材を制御する部分のブロック図である。
【図４】本発明の一実施形態による立体映像表示装置のシャッタ部材を制御する種々の制御部のブロック図である。
【図５】本発明の一実施形態による立体映像表示装置の入力映像信号の階調を合算した値によるシャッタ部材の開閉タイミングを例示的に示したルックアップテーブルである。
【図６】本発明の一実施形態による立体映像表示装置のシャッタ部材及びシャッタ部材を制御する部分のブロック図である。
【図７】本発明の一実施形態による立体映像表示装置の駆動方法を示す波形図である。
【図８】本発明の一実施形態による立体映像表示装置の駆動方法を示す波形図である。
【図９】本発明の一実施形態による立体映像表示装置の駆動方法を示す波形図である。
【図１０】本発明の一実施形態による立体映像表示装置の駆動方法を示す波形図である。
【図１１】本発明の実施形態による立体映像表示装置のシャッタ部材を通じて見た実際映像及び周辺形状の一例である。
【図１２】本発明の実施形態による立体映像表示装置のシャッタ部材を通じて見た実際映像及び周辺形状の一例である。
【図１３】本発明の一実施形態による立体映像表示装置のシャッタ部材及びシャッタ部材を制御する部分のブロック図である。
【図１４】本発明の一実施形態による立体映像表示装置のシャッタ部材及びシャッタ部材を制御する部分のブロック図である。
【発明を実施するための形態】
【００２０】
以下、添付した図面を参照して、本発明の実施形態について本発明が属する技術分野における通常の知識を有する者が容易に実施できるように詳細に説明する。しかし、本発明は種々の異なる形態に実現でき、ここで説明する実施形態に限られない。
【００２１】
図面において、種々の層及び領域を明確に表現するために厚さを拡大して示した。明細書の全体にわたって類似する部分に対しては同一の図面符号を付けた。
【００２２】
最初に、図１、図２及び図３を参照して、本発明の一実施形態による立体映像表示装置について説明する。
【００２３】
図１は、本発明の一実施形態による立体映像表示装置のブロック図であり、図２は、本発明の一実施形態による立体映像表示装置の動作を概略的に示す図面であり、図３は、本発明の一実施形態による立体映像表示装置のシャッタ部材及びシャッタ部材を制御する部分のブロック図である。
【００２４】
図１及び図３を参照すれば、本発明の一実施形態による立体映像表示装置は、統合制御部（ｉｎｔｅｇｒａｔｉｏｎ  ｃｏｎｔｒｏｌｌｅｒ）６５０、映像を表示する表示板部（ｄｉｓｐｌａｙ  ｐａｎｅｌ  ａｓｓｅｍｂｌｙ）１００、バックライト制御部９５０、シャッタ部材（ｓｈｕｔｔｅｒ  ｍｅｍｂｅｒ）６０、シャッタタイミング制御部７００、及び図３に示されているシャッタタイミング決定部７１０を含む。
【００２５】
本発明の一実施形態による統合制御部６５０は、外部から映像情報（ＤＡＴＡ）を受信して、入力映像信号（ＩＤＡＴ）、３Ｄイネーブル信号（３Ｄ_Ｅｎ）、３Ｄタイミング信号（３Ｄ_ＴＭ）、及び入力映像信号（ＩＤＡＴ）の表示を制御する入力制御信号（ＣＯＮＴ１などを生成する。統合制御部６５０は、入力映像信号（ＩＤＡＴ）、３Ｄイネーブル信号（３Ｄ_Ｅｎ）、及び入力制御信号（ＣＯＮＴ１）などを表示板部１００のタイミング制御部６００に伝達することができ、３Ｄイネーブル信号（３Ｄ_Ｅｎ）及び３Ｄタイミング信号（３Ｄ_ＴＭ）をバックライト制御部９５０に伝達することができる。入力映像信号（ＩＤＡＴ）は、輝度（ｌｕｍｉｎａｎｃｅ）情報を含み、輝度は定められた数、例えば、１０２４（＝２１０）、２５６（＝２８）または６４（＝２６）個の階調（ｇｒａｙ）を有することができる。３Ｄイネーブル信号（３Ｄ_Ｅｎ）は３Ｄモードで動作するように指示し、３Ｄタイミング信号（３Ｄ_ＴＭ）は３Ｄモードによる動作のタイミング情報を含んでいる。入力制御信号（ＣＯＮＴ１）は垂直同期信号（Ｖｓｙｎｃ）、水平同期信号（Ｈｓｙｎｃ）、メインクロック（ＭＣＬＫ）、及びデータイネーブル信号（ＤＥ）などを含むことができる。
【００２６】
表示板部１００は、プラズマ表示装置（ｐｌａｓｍａ  ｄｉｓｐｌａｙ  ｐａｎｅｌ、ＰＤＰ）、液晶表示装置（ｌｉｑｕｉｄ  ｃｒｙｓｔａｌ  ｄｉｓｐｌａｙ）、有機発光表示装置（ｏｒｇａｎｉｃ  ｌｉｇｈｔ  ｅｍｉｔｔｉｎｇ  ｄｉｓｐｌａｙ）などを含む多様な表示装置のいずれか一つとすることができる。このような多様な表示装置は、この分野の通常の知識を有する者に公知となっている全ての表示装置を含むことができる。
【００２７】
本発明の一実施形態による表示板部１００は、映像を表示する表示板（ｄｉｓｐｌａｙｐａｎｅｌ）３００、これに接続されたゲート駆動部４００及びデータ駆動部５００、これらを制御するタイミング制御部（ｔｉｍｉｎｇ  ｃｏｎｔｒｏｌｌｅｒ）６００、及び表示板３００に光を供給するバックライト部（ｂａｃｋｌｉｇｈｔ  ｕｎｉｔ）９００を含む。
【００２８】
表示板３００は、等価回路から見れば、複数の表示信号線と、これに接続されて、ほぼ行列状に配列された複数の画素（ＰＸ）を含む。表示信号線は、ゲート信号（「走査信号」ともいう）を伝達する複数のゲート線（ＧＬ１〜ＧＬｎ）と、データ信号を伝達する複数のデータ線（ＤＬ１〜ＤＬｍ）とを含む。各画素（ＰＸ）は、当該ゲート線（ＧＬ１、…、ＧＬｎ）及びデータ線（ＤＬ１、…、ＤＬｍ）に接続されている薄膜トランジスタなどのスイッチング素子（図示せず）と、これに接続された画素電極（図示せず）とを含むことができる。
【００２９】
タイミング制御部６００は、ゲート駆動部４００及びデータ駆動部５００などの動作を制御する。タイミング制御部６００は、統合制御部６５０から入力映像信号（ＩＤＡＴ）、３Ｄイネーブル信号（３Ｄ_Ｅｎ）、及び入力制御信号（ＣＯＮＴ１）を受信する。タイミング制御部６００は、入力映像信号（ＩＤＡＴ）と入力制御信号（ＣＯＮＴ１）に基づいて入力映像信号（ＩＤＡＴ）を表示板３００の動作条件に合うように適切に処理し、ゲート制御信号（ＣＯＮＴ２）及びデータ制御信号（ＣＯＮＴ３）などを生成した後、ゲート制御信号（ＣＯＮＴ２）をゲート駆動部４００に伝送し、データ制御信号（ＣＯＮＴ３）と処理した映像信号（ＤＡＴ）をデータ駆動部５００に伝送する。
【００３０】
データ駆動部５００は、表示板３００のデータ線（ＤＬ１〜ＤＬｍ）に接続され、階調電圧生成部（図示せず）からの階調基準電圧を分圧して全体階調に対する階調電圧を生成するか、または複数の階調電圧を外部から受信することができる。データ駆動部５００は、データ制御信号（ＣＯＮＴ３）によって一行の画素（ＰＸ）に対するデジタル映像信号（ＤＡＴ）を受信し、階調電圧から各デジタル映像信号（ＤＡＴ）に対応する階調電圧を選択することによって、デジタル映像信号（ＤＡＴ）をデータ電圧（Ｖｄ）に変換した後、これを当該データ線（ＤＬ１〜ＤＬｍ）に印加する。データ電圧（Ｖｄ）は左眼データ電圧と右眼データ電圧を含むことができる。
【００３１】
ゲート駆動部４００は、ゲート線（ＧＬ１〜ＧＬｎ）に接続され、ゲートオン電圧（Ｖｏｎ）とゲートオフ電圧（Ｖｏｆｆ）の組み合わせからなるゲート信号をゲート線（ＧＬ１〜ＧＬｎ）に印加する。ゲート駆動部４００は、タイミング制御部６００からのゲート制御信号（ＣＯＮＴ２）によってゲートオン電圧（Ｖｏｎ）をゲート線（ＧＬ１〜ＧＬｎ）に印加して、このゲート線（ＧＬ１〜ＧＬｎ）に接続されたスイッチング素子を導通させる。このことにより、データ線（ＤＬ１〜ＤＬｍ）に印加されたデータ電圧（Ｖｄ）が導通したスイッチング素子を通じて当該画素（ＰＸ）に印加できる。
【００３２】
バックライト部９００は、表示板３００の裏側に配置してもよく、光源を含む。光源の例としては、ＣＣＦＬ（ｃｏｌｄ  ｃａｔｈｏｄｅ  ｆｌｕｏｒｅｓｃｅｎｔ  ｌａｍｐ）のような蛍光ランプ、及びＬＥＤ（ｌｉｇｈｔ  ｅｍｉｔｔｉｎｇ  ｄｉｏｄｅ）などがある。また、バックライト部９００は反射板、導光板、輝度向上フィルムなどをさらに含むことができる。
【００３３】
表示板部１００は、１水平周期（「１Ｈ」と記し、水平同期信号（Ｈｓｙｎｃ）及びデータイネーブル信号（ＤＥ）の一周期と同一である。）を単位として、全てのゲート線（ＧＬ１〜ＧＬｎ）に対して順次にゲートオン電圧（Ｖｏｎ）を印加し、全ての画素（ＰＸ）にデータ電圧（Ｖｄ）を印加して、１フレーム（ｆｒａｍｅ）の映像を表示する。
【００３４】
バックライト制御部９５０は、統合制御部６５０から３Ｄタイミング信号（３Ｄ_ＴＭ）と３Ｄイネーブル信号（３Ｄ_Ｅｎ）などを受信して、これらに基づいてバックライト制御信号（ＣＯＮＴ４）を生成し、これをバックライト部９００に伝送する。これとは異なって、バックライト制御部９５０はタイミング制御部６００から制御信号を受信することも可能である。バックライト部９００はバックライト制御信号（ＣＯＮＴ４）の制御によって所定時間点灯または消灯される。
【００３５】
シャッタタイミング決定部７１０は、統合制御部６５０からシャッタタイミングイネーブル信号（ＳＴ_ＥＮ）を受信し、これによって３Ｄモードが動作するか否かを決定することができる。例えば、シャッタタイミングイネーブル信号（ＳＴ_ＥＮ）がハイレバルである場合、シャッタタイミング決定部７１０は動作し、シャッタタイミングイネーブル信号（ＳＴ_ＥＮ）がローレベルである場合、シャッタタイミング決定部７１０は動作しない。以下、シャッタタイミングイネーブル信号（ＳＴ_ＥＮ）がハイレバルである場合を仮定して説明する。
【００３６】
シャッタタイミング決定部７１０は、外部からシャッタ部材制御ソース信号を受信してシャッタ部材６０の開閉時間、さらに具体的に、シャッタ部材６０の左眼シャッタ及び右眼シャッタの開閉維持時間及び開閉タイミングに対する信号（以下、シャッタタイミング情報という）を生成して、これをシャッタタイミング制御部７００に伝達する。シャッタ部材制御ソース信号は、シャッタ部材６０のシャッタの開閉時間を定めるベースとなる信号であって、その例としては統合制御部６５０またはタイミング制御部６００から提供される入力映像信号（ＩＤＡＴ）であってもよく、入力映像信号（ＩＤＡＴ）と同期されている別途の制御信号であってもよく、シャッタ部材６０の開閉時間に関する外部の命令信号であってもよく、外部照度に関する情報であってよい。シャッタタイミング決定部７１０は、本発明の種々の実施形態によって統合制御部６５０の中に配置されるか、または表示板部１００に配置されてもよい。シャッタタイミング決定部７１０を表示板部１００に配置する場合、タイミング制御部６００の内部に配置することも可能である。
【００３７】
図３を参照すれば、本発明の一実施形態によるシャッタタイミング決定部７１０は、統合制御部６５０またはタイミング制御部６００からシャッタ部材制御ソース信号として入力映像信号（ＩＤＡＴ）を受信して、これに基づいてシャッタタイミング情報（ＴＩＭ）を生成することができる。このようなシャッタタイミング決定部７１０の具体的な構造及び動作については後述する。
【００３８】
シャッタタイミング制御部７００は、シャッタタイミング決定部７１０からシャッタタイミング情報（ＴＩＭ）を受信し、これに基づいてシャッタ部材制御信号（ＣＯＮＴ５）を生成する。シャッタタイミング制御部７００は、シャッタタイミング決定部７１０のように統合制御部６５０の中に配置するか、または表示板部１００に配置することができる。シャッタタイミング制御部７００を表示板部１００に配置する場合、タイミング制御部６００の内部に配置することも可能である。
【００３９】
シャッタ部材６０は、シャッタタイミング制御部７００からシャッタ部材制御信号（ＣＯＮＴ５）を受信し、これによってシャッタを開閉する。シャッタ部材６０は、表示板部１００と同期されていてもよい。シャッタ部材６０のシャッタの開閉によって使用者は表示板部１００が表示する映像を立体と認識することができる。
【００４０】
本発明の一実施形態によるシャッタ部材６０は、図２に示した左眼シャッタ（６１、６１'）及び右眼シャッタ（６２、６２'）を含むシャッタ眼鏡とすることができる。しかしシャッタ部材６０はこれに限定されず、機械式シャッタ眼鏡（ゴーグル）、光学式シャッタ眼鏡、ヘッドマウント、マイクロ電子機械システム（ｍｉｃｒｏ  ｅｌｅｃｔｒｏｍｅｃｈａｎｉｃａｌ  ｓｙｓｔｅｍ、ＭＥＭＳ）（メムスという）を利用したシャッタからなるシャッタ眼鏡などとすることができる。
【００４１】
それでは、このような立体映像表示装置及びシャッタ部材を通じて使用者が立体映像を見る原理について、図１及び図２を参照して説明する。
【００４２】
図２を参照すれば、表示板部１００に示された矢印方向は、ほぼ行方向に延びている複数のゲート線（ＧＬ１〜ＧＬｎ）にゲートオン電圧（Ｖｏｎ）が印加される順序を示す。即ち、表示板部１００の第１ゲート線（ＧＬ１）から最後のゲート線（ＧＬｎ）までゲートオン電圧（Ｖｏｎ）が順次に印加される。
【００４３】
本発明の一実施形態によるシャッタ部材６０はシャッタ眼鏡であって、左眼シャッタ６１、６１'と右眼シャッタ６２、６２'を含む。表示板部１００が左眼映像１０１、１０２と右眼映像１０１'、１０２'を交互に表示すれば、シャッタ部材６０の右眼シャッタ６２、６２'と左眼シャッタ６１、６１'は表示板部１００に同期されて交互に光を遮断する。左眼シャッタ６１、６１'は、開いた状態の左眼シャッタ６１または閉じた状態の左眼シャッタ６１'であってもよく、右眼シャッタ６２、６２'は、閉じた状態の右眼シャッタ６２または開いた状態の右眼シャッタ６２'であってもよい。例えば、右眼シャッタが開いた状態である間に、左眼シャッタは閉じた状態でありえ、反対に左眼シャッタが開いた状態である間に、右眼シャッタは閉じた状態でありうる。しかし、表示モードによって左眼シャッタと右眼シャッタは全て開くか、または全て閉じた状態でありうる。
【００４４】
図２を参照すれば、表示板部１００に左眼映像１０１、１０２が出力されると、シャッタ部材６０の左眼シャッタ６１は光が透過する開いた状態となり、右眼シャッタ６２は光を遮断する閉じた状態となる。表示板部１００に右眼映像１０１'、１０２'が出力されると、シャッタ部材６０の右眼シャッタ６２'は光が透過する開いた状態となり、左眼シャッタ６１'は光を遮断する閉じた状態となる。したがって、一定の時間は左側目によってのみ左眼映像が認識され、その後一定の時間は右側目によってのみ右眼映像が認識される。したがって、左眼映像と右眼映像の差によって奥行き感を有する立体映像が認識される。これについて、図２に示したものを例に挙げて、具体的に説明する。
【００４５】
左側目で認識される映像は、Ｎ番目フレーム（Ｆ（Ｎ））の映像であって、四角形の左眼映像１０１及び三角形の左眼映像１０２が距離αほど離れている映像である。一方、右側目で認識される映像は（Ｎ＋１）番目フレーム（Ｆ（Ｎ＋１））の映像であって、四角形の右眼映像１０１'及び三角形の右眼映像１０２'が距離βほど離れている映像である。ここで、αとβは互いに異なる値を有することができる。このように両眼で認識される複数の映像間の距離が互いに異なると、四角形の後に三角形が離れていると認識するようになって奥行き感が感じられる。三角形と四角形が離れている距離α及びβを調節して、二つの形状が離れていると感じる距離（奥行き感）を調節することができる。
【００４６】
以下、図４、図５及び図６と前述した図１乃至図３を共に参照して、本発明の一実施形態による立体映像表示装置のシャッタタイミング決定部を含む構造について説明する。前述した実施形態と同一の構成要素に対しては同一の図面符号を付け、同一の説明を省略する。
【００４７】
図４は、本発明の一実施形態による立体映像表示装置のシャッタ部材及びシャッタ部材を制御する部分のブロック図であり、図５は、本発明の一実施形態による立体映像表示装置の入力映像信号の階調を合算した値によるシャッタ部材の開閉タイミングを例示的に示したルックアップテーブルであり、図６は、本発明の一実施形態による立体映像表示装置のシャッタ部材及びシャッタ部材を制御する部分のブロック図である。
【００４８】
まず、図１、図３及び図４を参照すれば、上述した通り、本発明の一実施形態による立体映像表示装置は、シャッタ部材６０、シャッタ部材６０のシャッタの開閉タイミングを制御するシャッタタイミング制御部７００、及びシャッタタイミング制御部７００にシャッタタイミング情報（ＴＩＭ）を提供するシャッタタイミング決定部７１０を含む。
【００４９】
本発明の一実施形態によるシャッタタイミング決定部７１０は、映像輝度合算部７２０、レベル指定部７３０、及びルックアップテーブル７４０を含む。
【００５０】
映像輝度合算部７２０は、統合制御部６５０またはタイミング制御部６００から入力映像信号（ＩＤＡＴ）を受信して、複数の画素（ＰＸ）に対する階調を合算する。例えば、映像輝度合算部７２０は、１フレームに対する入力映像信号（ＩＤＡＴ）から全ての画素（ＰＸ）に対する階調を合算することができる。図５のルックアップテーブルを参照すれば、画素（ＰＸ）が赤色（Ｒ）、緑色（Ｇ）及び青色（Ｂ）画素を含み、各画素（ＰＸ）が表現する階調が０階調から２５５階調であり、表示板３００の解像度（Ｒｅｓ）が１９２０×１０８０である時、１フレームに対して全ての画素（ＰＸ）の階調の合計は、図５のルックアップテーブルの第２列のように計算できる。この時、計算の便宜のために０階調を１階調にし、２５５階調を２５６階調にしており、全てのＲ、Ｇ、Ｂ画素（ＰＸ）の階調が同一であるとされたが、これに限定されないのは勿論である。
【００５１】
ルックアップテーブル７４０は、全ての画素（ＰＸ）の階調の合計をｎレベル（ｎは、２以上の自然数）で分ける。最後のレベルである第ｎレベルは、全ての画素（ＰＸ）の階調値が最高値である場合に該当する。図５のルックアップテーブルは、全ての画素（ＰＸ）の階調の合計を第０レベルから第１０レベルまで分けた例を示している。例えば、全ての画素（ＰＸ）の階調が全て２５．６階調であり、全ての画素（ＰＸ）の階調の合計が１５９２５２４８０である場合、映像輝度の合計は第１レベルに指定される。全ての画素（ＰＸ）の階調の合計がルックアップテーブル７４０における第（ｎ−１）レベル（ｎは、２以上の自然数）に対応する階調の合算値を超え、第ｎレベルに対応する階調の合算値以下である場合、その階調の合計が第ｎレベルに属することとされる。あるいは、全ての画素（ＰＸ）の階調の合計が、第（ｎ−１）レベルの階調の合算値以上、第ｎレベルの階調の合算値の未満である場合、全ての画素（ＰＸ）の階調の合計が第（ｎ−１）レベルに属することとされてもよい。したがって、例えば、全ての画素（ＰＸ）の階調の合計が６２２０８００と１５９２５２４８０の間である場合、第０レベルまたは第１レベルに指定される。
【００５２】
映像輝度の合計のレベルの個数（ｎ）は、図５に示したルックアップテーブルに限定されず、ｎは無限大となってもよい。ｎが無限大の場合、全ての画素（ＰＸ）の階調の合算値とレベルは互いに一対一対応となって、一次関数のような関数式によって階調の合算値が属するレベルを連続的な値に定めることも可能である。
【００５３】
レベル指定部７３０は、映像輝度合算部７２０から階調の合算値を受信して、ルックアップテーブル７４０で階調の合算値に対応するレベルを指定または選択する。このようなレベルの選択によって、レベル指定部７３０はシャッタ部材６０に対するシャッタタイミング情報（ＴＩＭ）をシャッタタイミング制御部７００に伝達する。シャッタタイミング情報（ＴＩＭ）は、図５に示したように、シャッタ部材６０が開いている時間の比率（％）の値を有することができ、全ての画素（ＰＸ）の階調の合算値が大きいほど、シャッタタイミング情報（ＴＩＭ）の値が大きい。この他、シャッタタイミング情報（ＴＩＭ）はシャッタ部材６０が開く開始点、シャッタ部材６０が開いている区間の分布などの情報をさらに含むこともできる。
【００５４】
シャッタタイミング制御部７００は、シャッタタイミング情報（ＴＩＭ）によってシャッタ部材６０のシャッタの開閉を制御するシャッタ部材制御信号（ＣＯＮＴ５）を生成する。本発明の一実施形態によるシャッタ部材制御信号（ＣＯＮＴ５）は、入力映像信号（ＩＤＡＴ）の全ての画素（ＰＸ）に対する階調の合算値、即ち、表示板３００が表示する映像の輝度の合計によってシャッタ部材６０のシャッタが開いている時間を制御することができる。
【００５５】
図６を参照すれば、本発明の他の実施形態によるシャッタタイミング決定部７１０は、映像輝度合算部７２０及びシャッタタイミング計算部７５０を含む。
【００５６】
本実施形態による映像輝度合算部７２０及びシャッタタイミング制御部７００は、前述した図４に示した実施形態と同一なので、詳細な説明は省略する。シャッタタイミング計算部７５０は、図４に示した実施形態で説明した通り、ルックアップテーブル７４０のレベルの個数が無限大である場合に、全ての画素（ＰＸ）の階調の合算値に対応するシャッタタイミング情報（ＴＩＭ）を、関数式を利用して計算することができる。例えば、シャッタタイミング計算部７５０は、線形関数などの式によって全ての画素（ＰＸ）の階調の合算値に対応するシャッタタイミング情報（ＴＩＭ）を直接計算可能である。そのために、全ての画素（ＰＸ）の階調の合算値が大きいほど、シャッタタイミング情報（ＴＩＭ）の値は大きい。
【００５７】
以下、このような立体映像表示装置の駆動方法について、図７、図８、図９、図１０、図１１及び図１２と共に、上述した図面を参照して説明する。
【００５８】
図７、図８、図９及び図１０は、それぞれ本発明の一実施形態による立体映像表示装置の駆動方法を示す波形図であり、図１１及び図１２は、本発明の実施形態による立体映像表示装置のシャッタ部材を通じて見た実際映像の一例である。
【００５９】
図１、図７〜図１０を参照すれば、ゲート駆動部４００がゲート線（ＧＬ１〜ＧＬｎ）に順次にゲートオン電圧（Ｖｏｎ）を印加し、データ駆動部５００がデータ線（ＤＬ１〜ＤＬｍ）にデータ電圧（Ｖｄ）を印加すると、表示板３００の画素（ＰＸ）に当該データ電圧（Ｖｄ）が印加されて、当該階調の映像を表示する。データ電圧（Ｖｄ）が含む右眼データ電圧（Ｒ１）と左眼データ電圧（Ｌ１、Ｌ２）はフレームごとに交互に入力される。
【００６０】
右眼データ電圧（Ｒ１）の入力区間と、左眼データ電圧（Ｌ１、Ｌ２）の入力区間との間には、垂直空白区間（ＶＢ）があり、垂直空白区間（ＶＢ）ではデータ電圧（Ｖｄ）が入力されない。垂直空白区間（ＶＢ）は１フレームごとに１つずつ存在するとよい。
【００６１】
垂直空白区間（ＶＢ）のうちの少なくとも一部の時間の間に、シャッタ部材６０の左眼シャッタ及び右眼シャッタのいずれか１つは閉じた状態であり、他の一つは開いた状態であるとよい。また、バックライト部９００は、バックライト制御部９５０からのバックライト制御信号（ＣＯＮＴ４）によって、垂直空白区間（ＶＢ）の少なくとも一部の時間の間に発光する。例えば、左眼データ電圧（Ｌ１、Ｌ２）が表示板３００に全て入力されると、右眼シャッタは閉じた状態であり、左眼シャッタは開いた状態である。この時、バックライト部９００が垂直空白区間（ＶＢ）の少なくとも一部時間の間に発光して、左眼シャッタを通じて表示板３００に表示された左眼映像が視聴される。右眼データ電圧（Ｒ１）が表示板３００に全て入力されると、左眼シャッタは閉じた状態であり、右眼シャッタは開いた状態であって、バックライト部９００が垂直空白区間（ＶＢ）の少なくとも一部時間の間に発光して、右眼シャッタを通じて表示板３００に表示された右眼映像が視聴される。
【００６２】
バックライト部９００は、左眼データ電圧（Ｌ１、Ｌ２）または右眼データ電圧（Ｒ１）の入力が完了した時から予め定められた第１時間（ｔ１）が経過すると点灯される。第１時間（ｔ１）は、左眼シャッタまたは右眼シャッタが完全に閉じる十分な時間であるとよい。即ち、垂直空白区間（ＶＢ）で閉じるシャッタが当該垂直空白区間（ＶＢ）の開始点で閉じる場合に、そのシャッタが完全に閉じた後にバックライト部９００が発光するようにして、左眼映像と右眼映像が重なって見られるクロストーク（ｃｒｏｓｓｔａｌｋ）現象を防止することができる。第１時間（ｔ１）は、シャッタ部材６０の応答速度によって自動または手動で調節可能であり、０であってもよい。例えば、垂直空白区間（ＶＢ）で閉じるシャッタが、当該垂直空白区間（ＶＢ）の開始点以前に既に閉じている場合、第１時間（ｔ１）は０であってもよい。
【００６３】
また、バックライト部９００は、当該垂直空白区間（ＶＢ）を通過して左眼データ電圧（Ｌ１、Ｌ２）または右眼データ電圧（Ｒ１）が表示板３００に入力され始めた後、第２時間（ｔ２）の間にも発光状態を維持することができる。例えば、液晶表示装置のように表示板３００にデータ電圧（Ｖｄ）が入力されても、液晶分子の応答速度によって表示板３００に当該映像が表示されるのが遅くなる場合、バックライト部９００が第２時間（ｔ２）の間にさらに発光してもクロストーク現象が現れない。第２時間（ｔ２）は表示板３００の表示応答速度によって調節可能であり、０であってもよい。
【００６４】
垂直空白区間（ＶＢ）をはじめとする全体区間（左眼データ電圧（Ｌ１、Ｌ２）または右眼データ電圧（Ｒ１）が入力される区間を含む）で、シャッタ部材６０の左眼シャッタ及び右眼シャッタの開閉状態及び開閉時間は、シャッタ部材制御信号（ＣＯＮＴ５）またはシャッタタイミング情報（ＴＩＭ）によって異なる。これについて、図７、図８、図９及び図１０を参照して具体的に説明する。
【００６５】
図７は、全ての画素（ＰＸ）の階調の合計が、図５に示したルックアップテーブルで映像輝度の合計が第０レベルに該当する場合、即ち、シャッタタイミング情報（ＴＩＭ）が０％である場合、右眼シャッタ及び左眼シャッタの開閉状態を例として示す。この場合、右眼シャッタは、右眼データ電圧（Ｒ１）が全て入力された以降の垂直空白区間（ＶＢ）の少なくとも一部の間に開いた状態を維持し、左眼シャッタは、左眼データ電圧（Ｌ１、Ｌ２）が全て入力された以降の垂直空白区間（ＶＢ）の少なくとも一部の間に開いた状態を維持することができる。
【００６６】
右眼シャッタ及び左眼シャッタは、垂直空白区間（ＶＢ）が開始して第３時間（ｔ３）が経過すれば開いて、当該垂直空白区間（ＶＢ）でバックライト部９００が点灯される前、または同時に開く。また、右眼シャッタ及び左眼シャッタは、バックライト部９００が消灯された後の時間である当該垂直空白区間（ＶＢ）終了時から第４時間（ｔ４）が経過した時に閉じる。第３時間（ｔ３）及び第４時間（ｔ４）の少なくとも１つは０であってもよい。ただし、図７に示した内容とは異なり、右眼シャッタ及び左眼シャッタは垂直空白区間（ＶＢ）が開始する前に開いてもよく、バックライト部９００が消灯される前に閉じてもよい。
【００６７】
このように、第０レベルで右眼シャッタまたは左眼シャッタが１つの垂直空白区間（ＶＢ）に対応して開いている時間を基準開放時間（ｒｅｆｅｒｅｎｃｅ  ｏｐｅｎｉｎｇ  ｔｉｍｅ）（Ｔｏｐ_０）という。この場合、シャッタタイミング情報（ＴＩＭ）の値は０％である。
【００６８】
図８は、全ての画素（ＰＸ）の階調の合計（または映像輝度の合計）が、図５に示したルックアップテーブルの第１レベルに該当する場合、即ち、シャッタタイミング情報（ＴＩＭ）が１０％である場合における、右眼シャッタ及び左眼シャッタの開閉状態を例示する。この場合、右眼シャッタ及び左眼シャッタは、１つの垂直空白区間（ＶＢ）に対して基準開放時間（Ｔｏｐ_０）より長い第１開放時間（Ｔｏｐ_１）の間、開いている状態を維持する。この時、左眼シャッタ及び右眼シャッタが開いている区間は、第０レベルで左眼シャッタ及び右眼シャッタが開いている基準開放時間（Ｔｏｐ_０）に対応する区間を含むとよい。即ち、第１開放時間（Ｔｏｐ_１）は基準開放時間（Ｔｏｐ_０）を含むとよい。
【００６９】
図９は、図８のように図５に示したルックアップテーブルで映像輝度の合計が第１レベルに該当する場合、即ち、シャッタタイミング情報（ＴＩＭ）が１０％である場合の右眼シャッタ及び左眼シャッタの開閉状態の別の一例を示す。しかし、図９に示した実施例では、１つの垂直空白区間（ＶＢ）に対応する左眼シャッタ及び右眼シャッタが開いた区間は少なくとも二区間を含む。即ち、第１レベルに該当する左眼シャッタ及び右眼シャッタの第１開放時間（Ｔｏｐ_１）は、基準開放時間（Ｔｏｐ_０）と追加開放時間（Ｔｏｐ_ａ）を含む。第１開放時間（Ｔｏｐ_０）を構成する基準開放時間（Ｔｏｐ_０）及び追加開放時間（Ｔｏｐ_ａ）は所定時間離れていてもよく、追加開放時間（Ｔｏｐ_ａ）は基準開放時間（Ｔｏｐ_０）より先に、または後に位置してもよい。追加開放時間（Ｔｏｐ_ａ）は当該垂直空白区間（ＶＢ）以前の垂直空白区間（ＶＢ）が終了した後、または当該垂直空白区間（ＶＢ）の次の垂直空白区間（ＶＢ）が開始する前に位置することができる。追加開放時間（Ｔｏｐ_ａ）の長さは、図５に示したルックアップテーブルの映像輝度の合計のレベルの高さなどの種々の設定により異なって決められる。
【００７０】
図９に示した実施形態において、第１開放時間（Ｔｏｐ_１）が２つの区間に分れたものを例として説明したが、これに限定されず、追加開放時間（Ｔｏｐ_ａ）は複数の区間に分けられてもよい。
【００７１】
次に、図１０は、全ての画素（ＰＸ）の階調の合算値が、図５に示したルックアップテーブルで最後のレベルである第１０レベルに該当する場合、即ち、シャッタタイミング情報（ＴＩＭ）が１００％である場合、右眼シャッタ及び左眼シャッタの開閉状態を例として示す。右眼シャッタ及び左眼シャッタは、１つの垂直空白区間（ＶＢ）に対応して第１０開放時間（Ｔｏｐ_１０）の間に開いている状態を維持する。第１０開放時間（Ｔｏｐ_１０）は全レベルに対する開放時間のうち最も長くするとよい。例えば、第１０開放時間（Ｔｏｐ_１０）は、図７に示した基準開放時間（Ｔｏｐ_０）に、図９に示した追加開放時間（Ｔｏｐ_ａ）の１０倍を加えた時間であってもよい。第１０開放時間（Ｔｏｐ_１０）は、図９に示した実施形態による第１開放時間（Ｔｏｐ_１）のように時間的に互いに離れている複数の区間に分けられてもよい。
【００７２】
この時、第１０開放時間（Ｔｏｐ_１０）が終了する点は、次の垂直空白区間（ＶＢ）の開始点から第５時間（ｔ５）前であり、第１０開放時間（Ｔｏｐ_１０）の開始点は、直前の垂直空白区間（ＶＢ）が終了した後第６時間（ｔ６）が経過した点である。第５時間（ｔ５）及び第６時間（ｔ６）の少なくとも一つは０であってもよい。
【００７３】
このように図７乃至図１０に示した実施形態によれば、入力映像信号（ＩＤＡＴ）の全ての画素（ＰＸ）の階調を合算した合算値をｎ個のレベルに分けた場合、シャッタタイミング情報（ＴＩＭ）は、分けられたレベルに比例する値を有することができる。シャッタ部材６０の左眼シャッタまたは右眼シャッタは、１フレームに対する１つの垂直空白区間（ＶＢ）に対してシャッタタイミング情報（ＴＩＭ）が大きくなるにつれて長くなるシャッタ開放時間を有することができる。この時、シャッタ部材６０の左眼シャッタまたは右眼シャッタの１フレームに対する開放時間は、シャッタタイミング情報（ＴＩＭ）の値に比例する。
【００７４】
シャッタ開放時間は、図９に示したように、複数の区間に分けられてもよい。第ｎレベルに対応するシャッタタイミング情報（ＴＩＭ）によるシャッタの開放時間（例えば、第ｎ開放時間）は、第（ｎ−１）レベルに対応するシャッタタイミング情報（ＴＩＭ）によるシャッタ開放時間（例えば、第（ｎ−１）開放時間）より長くするとよい。第ｎ開放時間に対応する区間は基準開放時間（Ｔｏｐ_０）に対応する区間を含むとよく、基準開放時間（Ｔｏｐ_０）を基準として第ｎ開放時間が拡張された方向及びその長さは自由に決められる。また、隣接するレベルのシャッタ開放時間の差を追加開放時間とした時、追加開放時間は全てのレベルにわたって一定であるとよい。
【００７５】
ｎが無限大である場合、シャッタタイミング情報（ＴＩＭ）は全ての画素（ＰＸ）の階調の合算値に比例する値を有することができ、シャッタ部材６０のシャッタが１つの垂直空白区間（ＶＢ）に対して開いているシャッタ開放時間は、シャッタタイミング情報（ＴＩＭ）の値に比例する。
【００７６】
このように、表示板３００の全ての画素（ＰＸ）の階調の合算値、即ち、表示板３００が表示する映像の輝度の合計によってシャッタ部材６０のシャッタが開く時間を制御することによって、シャッタ部材６０で表示板３００を見る時、共に見られる表示板３００周辺の輝度が映像の輝度によって変化されるので、現実感と躍動感がさらに向上した立体映像を楽しめる。
【００７７】
図１１を参照すれば、表示板３００に表示される映像が、例えば、洞窟の中または夜のように相対的に暗い輝度を有する場合、シャッタタイミング情報（ＴＩＭ）も映像の輝度に比例して相対的に小さい値を有し、シャッタ部材６０のシャッタが開いている時間もシャッタタイミング情報（ＴＩＭ）に比例して相対的に短くなるように制御される。したがって、シャッタの開いた時間が基準開放時間（Ｔｏｐ_０）、またはそれに近い時間を有するように制御されて、シャッタ部材６０を通じて見られる表示板３００周辺の輝度も低く視認される。このことにより、立体映像表示装置の使用者が実際の洞窟に入ってきたような感じを与えたり、実際の夜であるような感じを与えたりして、立体映像の現実感を増加させることができる。
【００７８】
図１２を参照すれば、表示板３００に表示される映像が相対的に明るい輝度を有する場合、シャッタタイミング情報（ＴＩＭ）も映像の輝度に比例して高い値を有し、シャッタ部材６０のシャッタが開いている時間もシャッタタイミング情報（ＴＩＭ）に比例して相対的に長くなるように制御される。このことにより、シャッタ部材６０を通じて見られる表示板３００周辺の輝度も高く視聴される。したがって、使用者に実際に明るい場所に居るような感じを与えることができる。
【００７９】
このように表示板３００に表示される映像の輝度が高い時、シャッタ部材６０を通じて見られる表示板３００周辺の輝度を高く視聴されるようにし、表示板３００に表示される映像の輝度が低い時、シャッタ部材６０を通じて見られる表示板３００周辺の輝度を低く視聴されるようにして、立体映像表示の効果をさらに高め、現実感を加えることができる。
【００８０】
本発明の一実施形態において、バックライト部９００が垂直空白区間（ＶＢ）の少なくとも一部時間の間に主に発光し、データ電圧（Ｖｄ）が入力される間の大部分の時間は消灯されているので、消費電力が節減される。
【００８１】
以上、説明した実施形態においては、シャッタタイミング決定部７１０で入力映像信号（ＩＤＡＴ）の全ての画素（ＰＸ）に対する階調を合算してシャッタタイミング情報（ＴＩＭ）を生成することと説明したが、これに限定されず、一部画素（ＰＸ）に対する階調を合算した値に基づいてシャッタ部材６０のシャッタの開閉時間を制御することもできる。この時、一部画素（ＰＸ）は表示板３００の中央部分に位置する複数の画素（ＰＸ）であってもよい。
【００８２】
次に、図１３及び図１４をそれぞれ参照して、本発明の一実施形態による立体映像表示装置について説明する。上述した実施形態と同一の構成要素に対しては同一の図面符号を付け、同一の説明を省略する。
【００８３】
図１３及び図１４は、それぞれ本発明の一実施形態による立体映像表示装置のシャッタ部材及びシャッタ部材を制御する部分のブロック図である。
【００８４】
図１３に示した実施形態によれば、シャッタタイミング決定部７１０は統合制御部６５０から周辺輝度制御信号（ＡＬ_ＤＡＴ）を受信して、シャッタタイミング情報（ＴＩＭ）を生成する。周辺輝度制御信号（ＡＬ_ＤＡＴ）は表示板３００の周辺輝度に対する情報であって、映像製作者または使用者などによって選択でき、入力映像信号（ＩＤＡＴ）の階調と無関係に選択できる。即ち、周辺輝度制御信号（ＡＬ_ＤＡＴ）は、入力映像信号（ＩＤＡＴ）による映像の変化によって、または映像製作者などの意図によって変化される周辺輝度に関する情報を伝達する信号であるとよい。周辺輝度制御信号（ＡＬ_ＤＡＴ）は、毎フレームの入力映像信号（ＩＤＡＴ）に追加のビットを有して割り当てられていてもよく、入力映像信号（ＩＤＡＴ）の毎フレームに同期されている別個の信号であってもよい。
【００８５】
シャッタタイミング決定部７１０は、周辺輝度制御信号（ＡＬ_ＤＡＴ）に対応する映像輝度のレベル及びシャッタタイミング情報（ＴＩＭ）を選択して、これをシャッタタイミング制御部７００に伝送する。この時、シャッタタイミング決定部７１０は、ルックアップテーブル７４１を利用してシャッタタイミング情報（ＴＩＭ）を選択することができ、線形関数式を利用してシャッタタイミング情報（ＴＩＭ）を計算することもできる。ルックアップテーブル７４１を利用する場合、ルックアップテーブル７４１はシャッタタイミング決定部７１０の内部、または外部に位置することができる。
【００８６】
図１３に示した実施形態によれば、映像製作者だけでなく、立体映像表示装置の使用者も、周辺輝度制御信号（ＡＬ_ＤＡＴ）を通じて直接表示板３００周辺の明るさを調節することで、好みに合うように立体映像を楽しめる。
【００８７】
図１４に示した実施形態による立体映像表示装置は、照度センサー３０及び照度センサー３０からの信号をＡ／Ｄ変換するＡ／Ｄ変換部３２をさらに含む。統合制御部６５０に配置できる照度センサー３０は、周辺輝度を感知して感知信号を生成し、これをＡ／Ｄ変換部３２に伝送する。Ａ／Ｄ変換部３２は、周辺輝度に対する感知信号をＡ／Ｄ変換してデジタル信号である周辺輝度情報を生成し、これをシャッタタイミング決定部７１０に伝送する。シャッタタイミング決定部７１０は、周辺輝度情報を受信してシャッタタイミング情報（ＴＩＭ）を生成する。この時、シャッタタイミング決定部７１０は、周辺輝度情報に対応するシャッタタイミング情報（ＴＩＭ）をルックアップテーブル７４２で選択することができ、周辺輝度情報を変数とする関数式を利用してシャッタタイミング情報（ＴＩＭ）を計算することも可能である。ルックアップテーブル７４２を利用する場合、ルックアップテーブル７４２はシャッタタイミング決定部７１０の内部、または外部に配置することができる。
【００８８】
図１４に示した実施形態によれば、立体映像表示装置の表示板３００が位置する周辺輝度に応じて、能動的にシャッタ部材６０のシャッタの開閉時間を調節して、シャッタ部材６０を通じて見られる周辺輝度を制御することができる。例えば、周辺輝度が高すぎる場合、シャッタ部材６０のシャッタの開放時間を小さく減らすことで、シャッタ部材６０を通じて見られる周辺輝度を適当に調節することができる。
【００８９】
以上、本発明の好ましい実施形態について詳細に説明したが、本発明の権利範囲はこれに限定されず、次の請求範囲で定義している本発明の基本概念を利用した当業者の種々の変形及び改良形態も本発明の権利範囲に属するものである。
【符号の説明】
【００９０】
３０  照度センサー
６０  シャッタ部材
１００  表示板部
３００  表示板
４００  ゲート駆動部
５００  データ駆動部
６００  タイミング制御部
６５０  統合制御部
７００  シャッタタイミング制御部
７１０  シャッタタイミング決定部
７２０  映像輝度合算部
７３０  レベル指定部
７４０、７４１、７４２  ルックアップテーブル
７５０  シャッタタイミング計算部
９００  バックライト部
９５０  バックライト制御部
ＶＢ  垂直空白区間
【図１】
0005973172.tif 000002
【図２】
0005973172.tif 000003
【図３】
0005973172.tif 000004
【図４】
0005973172.tif 000005
【図５】
0005973172.tif 000006
【図６】
0005973172.tif 000007
【図７】
0005973172.tif 000008
【図８】
0005973172.tif 000009
【図９】
0005973172.tif 000010
【図１０】
0005973172.tif 000011
【図１１】
0005973172.tif 000012
【図１２】
0005973172.tif 000013
【図１３】
0005973172.tif 000014
【図１４】
0005973172.tif 000015